(57)【要約】【課題】複写完了後に複写条件の変更がある場合にも、その作業性を向上させることのできる複写装置を提供する。【解決手段】この複写機は、被複写画像を読み取る画像読取装置と、複写条件が入力される入力装置と、入力装置に対する入力指示を表示する表示装置と、画像読取装置で読み取られた被複写画像の画像データ及び入力装置から入力された複写条件を記憶する記憶装置を備えている。また、複写機は、画像データに基づく複写画像を記録媒体に記録する画像記録装置と、これら各部を制御する制御装置とを備えている。制御装置は、入力装置から入力された複写条件及び画像データに基づいて、画像記録装置に複写画像を記録させるとともに、複写画像の記録後においても、記憶装置に画像データ及び複写条件を記憶させる。【選択図】    図１
2004349821.tif 000002
【特許請求の範囲】
【請求項１】
被複写画像を読み取る画像読取装置と、
複写条件が入力される入力装置と、
前記入力装置に対する入力指示を表示する表示装置と、
前記画像読取装置で読み取られた前記被複写画像の画像データ及び前記入力装置から入力された前記複写条件を記憶する記憶装置と、
前記画像データに基づく複写画像を記録媒体に記録する画像記録装置と、
前記画像読取装置、前記入力装置、前記表示装置、前記記憶装置及び前記画像記録装置を制御する制御装置とを備え、
前記制御装置は、前記入力装置から入力された前記複写条件及び前記画像データに基づいて、前記画像記録装置に前記複写画像を記録させるとともに、前記複写画像の記録後においても、前記記憶装置に前記画像データ及び前記複写条件を記憶させることを特徴とする複写機。
【請求項２】
請求項１記載の複写機において、
前記入力装置は、前記記憶装置に記憶された前記画像データの消去指示の入力が可能であり、
前記制御装置は、前記複写画像の記録に際して、前記表示装置に前記消去指示の入力指示を表示させ、前記入力装置からの前記消去指示の有無にしたがって前記記憶装置を制御することを特徴とする複写機。
【請求項３】
請求項１又は２記載の複写機において、
前記制御装置は、前記記憶装置が前記画像データを記憶してから所定時間経過すると、前記記憶装置に前記画像データを消去させることを特徴とする複写機。
【請求項４】
請求項１〜３のいずれか一項に記載の複写機において、
前記記憶装置は、少なくとも１つ以上の前記画像データを記憶する画像データ記憶領域を有し、
前記制御装置は、前記記憶装置が前記画像データを記憶すると前記画像データ記憶領域の記憶容量を超えてしまう場合には、前記記憶装置に記憶されている前記画像データのうち最も古い前記画像データを消去するように、前記記憶装置を制御することを特徴とする複写機。
【請求項５】
請求項１〜４のいずれか一項に記載の複写機において、
前記入力装置は、認証情報を有するＩＤデータの入力が可能であり、
前記記憶装置は、前記画像データに関連づけて前記ＩＤデータを記憶し、
前記制御装置は、
前記被複写画像の読み取りに際して、前記表示装置に前記ＩＤデータの入力指示を表示させ、前記ＩＤデータが登録された場合には前記ＩＤデータを前記記憶装置に記憶させてから、前記画像記録装置に前記複写画像を記録させるとともに、
前記複写画像の記録後に、前記ＩＤデータが登録された前記画像データが使用される場合には、前記表示装置に確認用の認証情報の入力指示を表示させ、入力された前記確認用の認証情報と、前記使用される前記画像データに登録された前記認証情報とを比較し、同一の場合には、前記画像データの使用を許可することを特徴とする複写機。
【請求項６】
請求項５記載の複写機において、
前記入力装置は、前記ＩＤデータの登録が必要であるか否かの入力が可能であり、
前記制御装置は、前記入力装置に前記ＩＤデータの不必要が入力されている場合には、前記ＩＤデータの確認がなくとも前記画像データを使用できることを特徴とする複写機。
【請求項７】
請求項５又は６に記載の複写機において、
前記入力装置は、前記ＩＤデータの登録された前記画像データに対して、前記ＩＤデータを表示するとともに、前記ＩＤデータが非登録の前記画像データに対してはサムネイル表示を行うことを特徴とする複写機。
【発明の詳細な説明】
【０００１】
【発明の属する技術分野】
本発明は複写機に係り、特に画像データを所定期間記憶することのできる複写機に関する。
【０００２】
【従来の技術】
一般的な複写機は、複写元となる被複写画像を読み込んで画像データに変換し、その画像データを基に記録媒体に対して複写画像を記録するようになっている。ここで、複写画像を記録する際には、記録枚数、記録媒体サイズ、画像倍率、画質、記録位置等の複写条件を作業者が意図するように入力しており、その複写条件に応じて複写機は複写画像を記録する。
【０００３】
このような複写機においては、複数の記録媒体に対して同一の画像データで複写を行うことが多々あるが、この場合、複写条件が間違っていて作業者の意図しない複写画像が形成されていたとしても、作業者が複写を停止させない限り全ての記録媒体にその間違いが反映されてしまう。一方、画像記録途中に作業者が間違いに気づけば複写を停止させて、無駄な記録媒体が使用されることを防ぐことができるが、やり直しのため再度複写を行う際には、複写条件を入れ直す前に被複写画像を読み込まなければならず、手間がかかっていた。
【０００４】
近年、上記した手間を解消するために、実際に作業者の意図した複写画像が記録されるか否かを複写を行う以前に確認できるように、読み込んだ画像データをサンプル画像として複写条件に対応させて記録媒体に記録する複写機が開発されている（例えば特許文献１参照）。この複写機は、サンプル画像の記録後においては待機状態となっていて、作業者がサンプル画像を確認した後に入力する複写開始指示若しくは複写条件の再設定に応じて、待機状態を解除して複写を開始するようになっている。ここで、複写条件が変更されたとしても再度被複写画像を読み込まなくてもいいように、画像データはメモリ等の記憶装置に記憶されている。
【０００５】
【特許文献１】
特許３３２１０３７号公報
【０００６】
【発明が解決しようとする課題】
しかしながら、上記のような複写機では、複写完了後においては記憶装置から画像データが消去されるのが一般的であるために、複写完了後に追加で被複写画像の複写が必要となったときや、複写条件の異なる複写画像が必要になったときには、再度被複写画像を読み込まなければならず、さらなる作業性の向上が望まれている。
【０００７】
本発明の課題は、複写完了後に複写条件の変更がある場合にも、その作業性を向上させることのできる複写装置を提供することである。
【０００８】
【課題を解決するための手段】
請求項１記載の発明における複写機は、
被複写画像を読み取る画像読取装置と、
複写条件が入力される入力装置と、
前記入力装置に対する入力指示を表示する表示装置と、
前記画像読取装置で読み取られた前記被複写画像の画像データ及び前記入力装置から入力された前記複写条件を記憶する記憶装置と、
前記画像データに基づく複写画像を記録媒体に記録する画像記録装置と、
前記画像読取装置、前記入力装置、前記表示装置、前記記憶装置及び前記画像記録装置を制御する制御装置とを備え、
前記制御装置は、前記入力装置から入力された前記複写条件及び前記画像データに基づいて、前記画像記録装置に前記複写画像を記録させるとともに、前記複写画像の記録後においても、前記記憶装置に前記画像データ及び前記複写条件を記憶させることを特徴としている。
【０００９】
請求項１記載の発明によれば、複写画像の記録後においても記憶装置には画像データ及び複写条件が記憶されているので、複写完了後に複写条件の変更がある場合に、非複写画像を再度読み込まなくても、記憶装置に記憶される画像データ及び複写条件を読み出してから、複写条件を変更するだけで、意図した複写画像を得ることができる。したがって、被複写画像を読み込む手間を省略でき、作業性を向上させることができる。
【００１０】
請求項２記載の発明は、請求項１記載の複写機において、
前記入力装置は、前記記憶装置に記憶された前記画像データの消去指示の入力が可能であり、
前記制御装置は、前記複写画像の記録に際して、前記表示装置に前記消去指示の入力指示を表示させ、前記入力装置からの前記消去指示の有無にしたがって前記記憶装置を制御することを特徴としている。
【００１１】
請求項２記載の発明によれば、複写画像の記録に際して表示装置には消去指示の入力指示が表示されるので、作業者が複写するごとに画像データの消去、非消去を設定できる。特に、消去指示が入力された場合には、記憶装置に記憶される画像データが消去されるので、機密上のセキュリティ効果を高めることができる。
【００１２】
請求項３記載の発明は、請求項１又は２記載の複写機において、
前記制御装置は、前記記憶装置が前記画像データを記憶してから所定時間経過すると、前記記憶装置に前記画像データを消去させることを特徴としている。
【００１３】
請求項３記載の発明によれば、画像データは所定時間経過後に記憶装置から消去されるので、長期にわたって記憶装置に記憶され続けることがなく、機密上のセキュリティ効果を高めることができる。
【００１４】
請求項４記載の発明は、請求項１〜３のいずれか一項に記載の複写機において、
前記記憶装置は、少なくとも１つ以上の前記画像データを記憶する画像データ記憶領域を有し、
前記制御装置は、前記記憶装置が前記画像データを記憶すると前記画像データ記憶領域の記憶容量を超えてしまう場合には、前記記憶装置に記憶されている前記画像データのうち最も古い前記画像データを消去するように、前記記憶装置を制御することを特徴としている。
【００１５】
請求項４記載の発明によれば、画像データ記憶領域の記憶容量が超えられる場合に、記憶装置に記憶されている画像データのうち最も古い画像データを消去するので、使用頻度の低い画像データを先に消去することができる。
【００１６】
請求項５記載の発明は、請求項１〜４のいずれか一項に記載の複写機において、
前記入力装置は、認証情報を有するＩＤデータの入力が可能であり、
前記記憶装置は、前記画像データに関連づけて前記ＩＤデータを記憶し、
前記制御装置は、
前記被複写画像の読み取りに際して、前記表示装置に前記ＩＤデータの入力指示を表示させ、前記ＩＤデータが登録された場合には前記ＩＤデータを前記記憶装置に記憶させてから、前記画像記録装置に前記複写画像を記録させるとともに、
前記複写画像の記録後に、前記ＩＤデータが登録された前記画像データが使用される場合には、前記表示装置に確認用の認証情報の入力指示を表示させ、入力された前記確認用の認証情報と、前記使用される前記画像データに登録された前記認証情報とを比較し、同一の場合には、前記画像データの使用を許可することを特徴としている。
【００１７】
請求項５記載の発明によれば、ＩＤデータの登録された画像データに関しては、認証情報の確認によってその画像データの使用許可が得られるので、機密上のセキュリティ効果を高めることができる。
【００１８】
請求項６記載の発明は、請求項５記載の複写機において、
前記入力装置は、前記ＩＤデータの登録が必要であるか否かの入力が可能であり、
前記制御装置は、前記入力装置に前記ＩＤデータの不必要が入力されている場合には、前記ＩＤデータの確認がなくとも前記画像データを使用できることを特徴としている。
【００１９】
請求項６記載の発明によれば、入力装置にＩＤデータの不必要が入力されている場合には、ＩＤデータの確認がなくとも画像データを使用できるので、ＩＤデータの登録が省略でき、使用目的に応じて最適な手順で複写を行うことができる。
【００２０】
請求項７記載の発明は、請求項５又は６に記載の複写機において、
前記表示装置は、前記ＩＤデータの登録された前記画像データに対して、前記ＩＤデータを表示するとともに、前記ＩＤデータが非登録の前記画像データに対してはサムネイル表示を行うことを特徴としている。
【００２１】
請求項７記載の発明によれば、表示装置には、ＩＤデータが非登録の画像データはサムネイル表示されて、ＩＤデータが登録された画像データは、ＩＤデータが表示されるので、記憶装置に記憶された画像データを利用する際に、各画像データを選択しやすく、ＩＤデータの登録有無も分かりやすい。
【００２２】
【発明の実施の形態】
以下、図面を参照しながら本実施形態における複写機について説明する。ただし、発明の範囲は図示例に限定されない。図１は複写機の概略構成を表すブロック図である。
【００２３】
複写機１には、図１に示すように、各部を制御する制御装置２が設けられている。制御装置２には、各種入力指示が表示されるとともに、その表示に基づいて複写条件や複写開始指示、消去指示、ＩＤデータ、ＩＤデータ登録可否等の各種入力項目が入力されるタッチパネル３が電気的に接続されている。
【００２４】
また、制御装置２には、被複写画像を読み取る画像読取装置としてのスキャナ４と、複写画像を記録媒体に記録する画像記録装置としてのプリンタ５とが画像処理装置６を介して電気的に接続されている。画像処理装置６は、スキャナ４によって読み込まれた被複写画像の画像データを、制御装置２の制御に基づいて処理してからプリンタ５に出力するようになっている。
そして、制御装置２には、画像データ及び複写条件等を記憶する記憶装置７が電気的に接続されている。この記憶装置７には、画像データを記憶する画像データ記憶領域と、各入力項目を記憶する入力項目記憶領域が設けられている。
【００２５】
次にタッチパネル３に入力される入力項目について説明する。
複写条件とは作業者が意図する複写を行ううえで予め設定される条件のことであり、例えば、記録枚数、記録媒体サイズ、記録媒体種類、画像倍率、画質、記録位置等が挙げられる。
複写開始指示とは複写の開始を促す指示のことである。
消去指示とは、複写を行う際に一旦記憶装置７に記憶された画像データを消去させる指示のことである。この消去指示には、画像データを記憶してから消去するまでの所定時間も含まれており、作業者が意図する所定時間を入力すればその所定時間経過後に記憶装置７は画像データを消去するようになっている。
【００２６】
ＩＤデータとは、作成された画像データの作成主を特定するために設定されるデータであり、通常、作成された画像データのジョブ名称と、作成主のＩＤと、認証情報とが一体で用いられる。ここで認証情報には、例えばパスワード、指紋等の個人を特定することのできる情報であれば如何なるものでも使用可能である。
ＩＤ登録可否データとは、上述したＩＤデータの登録が必要であるか否かを示すデータのことである。
【００２７】
次に、本実施形態の複写機の動作について図２を参照にして説明する。図２は、複写動作の流れを表すフローチャートである。
【００２８】
まず、制御装置２は、タッチパネル３に各種入力指示を表示させて、作業者に各種入力項目の入力を促す。作業者は表示に応じて自分の意図する条件を入力する（ステップＳ１）。この際、ＩＤ登録可否データが必要に設定されている場合には、タッチパネル３にはＩＤ入力画面が表示されており、作業者はそのジョブ名称と、自己のＩＤと、認証情報とを入力する。このＩＤが従前に登録されている場合には、その際の入力項目を記憶装置７から読み出して表示し、その入力項目のまま使用するか、あるいは変更するかを作業者に確認する。作業者は、変更する場合には入力項目を再入力し、しない場合には承認する。一方、否に設定されている場合には、タッチパネル３にはＩＤ入力画面は表示されず、そのまま入力項目の入力が行われる。
【００２９】
制御装置２は入力された条件に基づいて、これから読み取られる被複写画像の画像データの容量を算出し、その画像データの容量と記憶装置７の画像データ記憶領域の残り記憶容量とを比較する（ステップＳ３）。画像記憶領域の残り記憶容量が規定量未満である場合には、記憶領域中の最古の画像データを削除し（ステップＳ４）、再度ステップＳ３に移行して、残り記憶容量が規定量以上となるまで繰り返す。規定量以上となれば、スキャナ４に被複写画像の読み取りを行わせる（ステップＳ５）。読み取られた画像情報は、画像処理装置６によるＡ／Ｄ変換の後、画像データとなって記憶装置７に記憶される。この際、各種入力項目も画像データに関連づけて記憶装置７に記憶される（ステップＳ６）。なお、消去指示が入力されている場合には、制御装置２は、記憶装置７に記憶される画像データを所定時間経過後に消去する。
【００３０】
その後、制御装置２は、スキャナ４に先に読み取られた被複写画像とはページの異なる被複写画像が有るか否かを判断する（ステップＳ７）。有る場合にはステップＳ３に移行して、再度上記行程を繰り返す。一方、ない場合には、制御装置２は画像データが入力項目に基づいて処理されるように、画像処理装置６を制御して、プリンタ５に複写画像を記憶させる（ステップＳ８）。そして、入力項目で設定された枚数分、複写画像が形成されると、複写が完了する（ステップＳ９）。
【００３１】
ここで、複写完了の後、先に複写した被複写画像を、再度複写条件を異ならせて複写する場合に、制御装置２はタッチパネル３を制御して、記憶装置７に記憶される画像データを一覧で表示させる。この際、画像データの選択及びＩＤデータの登録有無を認識しやすくするために、ＩＤデータの登録された画像データに対しては、ＩＤ及びジョブ名称を表示させるとともに、ＩＤデータが非登録の画像データに対してはサムネイル表示を行わせることが好ましい。
【００３２】
作業者は、タッチパネルに一覧で表示された画像データの中から、再複写したい画像データを選択する。ここで制御装置２は、ＩＤデータの登録されていない画像データが選択された場合には、その画像データに対応する複写条件入力画面をタッチパネル３に表示させる。一方、ＩＤデータの登録された画像データが選択された場合には、制御装置２は、タッチパネル３に認証情報の入力画面を表示させて、確認用の認証情報の入力を促す。作業者から確認用の認証情報が入力されると、制御装置２は、確認用の認証情報と登録された認証情報とを比較して、同一の場合にのみ画像データの使用を許可し、画像データに対応する複写条件入力画面をタッチパネル３に表示させる。
【００３３】
制御装置２は、再入力された複写条件にしたがって画像データが処理されるように画像処理装置を制御する。その後、制御装置２はプリンタを制御して複写画像を記録媒体に記録させる。
【００３４】
以上のように、本実施形態の複写機１によれば、複写画像の記録後においても記憶装置７には画像データ及び入力項目が記憶されているので、複写完了後に複写条件の変更がある場合に、非複写画像を再度読み込まなくても、記憶装置７に記憶される画像データ及び入力項目を読み出してから、複写条件を変更するだけで、意図した複写画像を得ることができる。したがって、被複写画像を読み込む手間を省略でき、作業性を向上させることができる。
また、複写画像の記録に際してタッチパネル３には消去指示の入力指示が表示されるので、作業者が複写するごとに画像データの消去、非消去を設定できる。特に、消去指示が入力された場合には、記憶装置７に記憶される画像データが消去されるので、機密上のセキュリティ効果を高めることができる。さらに、画像データは所定時間経過後に記憶装置から消去されるので、長期にわたって記憶装置に記憶され続けることがなく、機密上のセキュリティ効果を高めることができる。
【００３５】
そして、ＩＤデータの登録された画像データに関しては、認証情報の確認によってその画像データの使用許可が得られるので、機密上のセキュリティ効果を高めることができる。そのうえ、タッチパネル３にＩＤデータの不必要が入力されている場合には、ＩＤデータの確認がなくとも画像データを使用できるので、ＩＤデータの登録が省略でき、使用目的に応じて最適な手順で複写を行うことができる。
【００３６】
なお、本発明は上記の実施形態に限定されることなく、本発明の主旨を逸脱しない範囲において種々の改良及び設計の変更を行ってもよい。
例えば、本実施形態では、複写条件が入力される入力装置と、入力装置に対する入力指示が表示される表示装置との機能を兼ね備えるタッチパネル３を例示したが、入力装置と表示装置とがそれぞれ個別の装置であってもよい。
【００３７】
【発明の効果】
請求項１記載の発明によれば、複写完了後に複写条件の変更がある場合に、非複写画像を再度読み込まなくても、記憶装置に記憶される画像データ及び複写条件を読み出してから、複写条件を変更するだけで、意図した複写画像を得ることができる。したがって、被複写画像を読み込む手間を省略でき、作業性を向上させることができる。
【００３８】
請求項２記載の発明によれば、作業者が複写するごとに画像データの消去、非消去を設定できる。特に、消去指示が入力された場合には、記憶装置に記憶される画像データが消去されるので、機密上のセキュリティ効果を高めることができる。
請求項３記載の発明によれば、長期にわたって記憶装置に記憶され続けることがなく、機密上のセキュリティ効果を高めることができる。
請求項４記載の発明によれば、使用頻度の低い画像データを先に消去することができる。
請求項５記載の発明によれば、ＩＤデータの登録された画像データに関しては、認証情報の確認によってその画像データの使用許可が得られるので、機密上のセキュリティ効果を高めることができる。
【００３９】
請求項６記載の発明によれば、入力装置にＩＤデータの不必要が入力されている場合には、ＩＤデータの確認がなくとも画像データを使用できるので、ＩＤデータの登録が省略でき、使用目的に応じて最適な手順で複写を行うことができる。
請求項７記載の発明によれば、入力装置には、ＩＤデータが非登録の画像データはサムネイル表示されて、ＩＤデータが登録された画像データは、ＩＤデータが表示されるので、記憶装置に記憶された画像データを利用する際に、各画像データを選択しやすく、ＩＤデータの登録有無も分かりやすい。
【図面の簡単な説明】
【図１】本発明にかかる複写機の概略構成を表すブロック図である。
【図２】図１の複写機の複写動作行程を表すフローチャートである。
【符号の説明】
１      複写機
２      制御装置
３      タッチパネル（入力装置、表示装置）
４      スキャナ（画像読取装置）
５      プリンタ（画像記録装置）
７      記憶装置
【図１】
2004349821.tif 000003
【図２】
2004349821.tif 000004